(57)【特許請求の範囲】
【請求項１】
映像信号が記録された記録媒体から映像信号を再生する再生手段と、
再生された前記映像信号から取り込む画像を指定する入力手段と、
画像を記録する記録媒体に前記取り込みが指定された画像を記録する記録手段と、
前記記録手段に記録されている画像のインデックスデータを記録するインデックスデータ記録手段と、
前記再生手段での前記映像信号の再生時に前記入力手段によって前記映像信号から取り込む画像が指定されたとき、前記再生手段における映像信号の再生を静止し、前記映像信号の再生の静止時に前記入力手段によって画像の登録を承認する指示がなされたとき、前記取り込みが指定された画像を前記記録手段を介して記録し、指定された前記画像が記録されたとき、前記インデックスデータ記録手段に記録された画像のインデックスデータを記録更新し、前記インデックスデータ記録手段に記録されているインデックスデータの更新が行われると、前記映像信号の再生を再開する制御を行う制御手段と
を具備することを特徴とする映像信号再生装置。
【請求項２】
前記制御手段は、前記映像信号の再生の静止時に前記入力手段から画像の登録を中止する指示がなされたとき、前記再生手段による映像信号の再生を再開する制御を行うことを特徴とする請求項１記載の映像信号再生装置。
【請求項３】
前記映像が記録された記録媒体は、ビデオテープであることを特徴とする請求項１記載の映像信号再生装置。
【請求項４】
前記画像を記録する記録媒体は、半導体メモリーであることを特徴とする請求項１記載の映像信号再生装置。
【請求項５】
前記映像が記録された記録媒体と前記画像を記録する記録媒体は、別の記録媒体であることを特徴とする請求項１記載の映像信号再生装置。
【請求項６】
前記映像信号が記録された記録媒体は、ビデオテープであり、前記画像を記録する記録媒体は、半導体メモリーであることを特徴とする請求項５記載の映像信号再生装置。
【請求項７】
前記再生手段で再生される映像信号を表示する表示手段を具備することを特徴とする請求項１記載の映像信号再生装置。
【請求項８】
映像信号を記録媒体に記録する映像信号記録手段を具備することを特徴とする請求項１記載の映像信号再生装置。
【請求項９】
映像を撮像する撮像手段を具備し、
前記映像信号記録手段は、前記撮像手段によって撮像された映像を映像信号として、映像信号を記録する記録媒体に記録することを特徴とする請求項８記載の映像信号再生装置。
【請求項１０】
映像を撮像する撮像手段と、
前記撮像手段によって撮像された映像を映像信号として、映像信号を記録する記録媒体に記録する映像信号記録手段と、
前記再生手段によって再生された映像信号を表示する表示手段と
を具備することを特徴とする請求項１記載の映像信号再生装置。
【請求項１１】
映像信号が記録された記録媒体から映像信号を再生する再生ステップと、
前記映像信号の再生時に前記映像信号から取り込む画像が指定されたとき、前記再生手段における映像信号の再生を静止する静止ステップと、
前記映像信号の再生の静止時に画像の登録の承認が指示されたとき、前記取り込みが指定された画像を、画像を記録する記録媒体に記録する記録ステップと、
指定された前記画像が記録されたとき、記憶媒体に記録された画像のインデックスデータを記録更新し、記録されているインデックスデータの更新が行われると、静止ステップの処理により静止していた前記映像信号の再生を再開する再生再開ステップと
を具備することを特徴とする映像信号再生方法。
【請求項１２】
前記記録ステップは、前記映像信号の再生の静止時に画像の登録を中止する指示がなされたとき、前記映像信号の再生を再開することを特徴とする請求項１１記載の映像信号再生方法。
【請求項１３】
映像を撮像する撮像ステップと、
前記撮像された映像を映像信号として、映像信号を記録する記録媒体に記録する映像記録ステップと
を具備することを特徴とする請求項１１記載の映像信号再生方法。
【請求項１４】
映像を撮像する撮像手段と、
前記撮像手段によって撮像された映像を映像信号として、映像信号を記録する記録媒体に記録すると共に、映像信号が記録された記録媒体から映像信号を再生する映像信号記録再生手段と、
画像を記録する記録媒体に前記取り込みが指示された画像を記録する記録手段と、
前記記録手段に記録されている画像のインデックスデータを記録するインデックスデータ記録手段と、
前記映像信号記録再生手段によって再生された映像信号を表示する表示手段と、
再生された前記映像信号から画像の取り込みを指示する入力手段と、
前記映像信号記録再生手段での前記映像信号の再生時に前記入力手段によって前記映像信号から画像の取り込みが指示されたとき、前記再生手段における映像信号の再生を静止して、前記映像信号の画像を前記記録手段を介して記録し、
指定された前記画像が記録されたとき、前記インデックスデータ記録手段に記録された画像のインデックスデータを記録更新し、前記インデックスデータ記録手段に記録されているインデックスデータの更新が行われると、前記映像信号の再生を再開する制御を行う制御手段と
を具備することを特徴とする映像信号再生装置。
【請求項１５】
前記映像が記録された記録媒体と前記画像を記録する記録媒体は、別の記録媒体であることを特徴とする請求項１４記載の映像信号再生装置。
【請求項１６】
前記映像信号が記録された記録媒体は、ビデオテープであり、前記画像を記録する記録媒体は、半導体メモリーであることを特徴とする請求項１５記載の映像信号再生装置。
【発明の詳細な説明】
【０００１】
【産業上の利用分野】
本発明は、例えば液晶モニター付きのＶＣＲ一体型カメラ装置を応用した映像信号再生装置及び映像信号再生方法に関するものである。
【０００２】
【従来の技術】
いわゆる電子メールと呼ばれる情報の伝達方法が実現されている。このような電子メールの送受信を行う装置としては、従来はパーソナルコンピューターやワークステーション等の情報機器が用いられていた。
【０００３】
また、このような電子メールにおいて、情報の表現力を高めるために、従来の文字情報に加えて画像情報を文面内に取り込むことが行われている。その場合に従来の装置では、上述のパーソナルコンピューターやワークステーション等にカメラ装置を接続して、このカメラ装置で撮像された映像信号を動画または静止画で処理して、処理されたデータを電子メールに取り込ませるようにしていた。
【０００４】
一方、近年の無線移動通信の社会基盤の整備が進む中で、電子メールの発信は屋内だけに留まらず、移動中の車内や野外へとその状況が拡大されつつある。このためこのような状況の変化に対応して、電子メールの送受信を行うことのできる情報端末装置の携帯型化が求められている。
【０００５】
しかしながら従来の装置においては、例えば携帯型のパーソナルコンピューターは実現されているものの、画像付きの電子メールを作成するためにはこの装置に接続される別体のカメラ装置が必要であり、これらを一緒に携帯することが容易ではなかった。また、電子メールの作成に当たっては、文字情報を入力するためのキーボードが不可欠であり、このようなキーボードが付属されることも携帯性を損なう要因となっていた。
【０００６】
【発明が解決しようとする課題】
この出願はこのような点に鑑みて成されたものであって、解決しようとする問題点は、従来の装置では携帯性が極めて悪く、自由な場所から電子メールの発信を行うことが容易ではなかったというものである。
【０００７】
【課題を解決するための手段】
本発明による第１の手段は、映像信号が記録された記録媒体から映像信号を再生する再生手段と、再生された映像信号から取り込む画像を指定する入力手段と、画像を記録する記録媒体に取り込みが指定された画像を記録する記録手段と、記録手段に記録されている画像のインデックスデータを記録するインデックスデータ記録手段と、再生手段での映像信号の再生時に入力手段によって映像信号から取り込む画像が指定されたとき、再生手段における映像信号の再生を静止し、映像信号の再生の静止時に入力手段によって画像の登録を承認する指示がなされたとき、取り込みが指定された画像を記録手段を介して記録し、指定された画像が記録されたとき、インデックスデータ記録手段に記録された画像のインデックスデータを記録更新し、インデックスデータ記録手段に記録されているインデックスデータの更新が行われると、映像信号の再生を再開する制御を行う制御手段とを具備することを特徴とする映像信号再生装置である。
【０００９】
本発明による第２の手段は、制御手段は、映像信号の再生の静止時に入力手段から画像の登録を中止する指示がなされたとき、再生手段による映像信号の再生を再開する制御を行うことを特徴とする第１の手段記載の映像信号再生装置である。
【００１０】
本発明による第３の手段は、映像が記録された記録媒体は、ビデオテープであることを特徴とする第１の手段記載の映像信号再生装置である。
【００１１】
本発明による第４の手段は、画像を記録する記録媒体は、半導体メモリーであることを特徴とする第１の手段記載の映像信号再生装置である。
【００１２】
本発明による第５の手段は、映像が記録された記録媒体と画像を記録する記録媒体は、別の記録媒体であることを特徴とする第１の手段記載の映像信号再生装置である。
【００１３】
本発明による第６の手段は、映像信号が記録された記録媒体は、ビデオテープであり、画像を記録する記録媒体は、半導体メモリーであることを特徴とする第５の手段記載の映像信号再生装置である。
【００１４】
本発明による第７の手段は、再生手段で再生される映像信号を表示する表示手段を具備することを特徴とする第１の手段記載の映像信号再生装置である。
【００１５】
本発明による第８の手段は、映像信号を記録媒体に記録する映像信号記録手段を具備することを特徴とする第１の手段記載の映像信号再生装置である。
【００１６】
本発明による第９の手段は、映像を撮像する撮像手段を具備し、映像信号記録手段は、撮像手段によって撮像された映像を映像信号として、映像信号を記録する記録媒体に記録することを特徴とする第８の手段記載の映像信号再生装置である。
【００１７】
本発明による第１０の手段は、映像を撮像する撮像手段と、撮像手段によって撮像された映像を映像信号として、映像信号を記録する記録媒体に記録する映像信号記録手段と、再生手段によって再生された映像信号を表示する表示手段とを具備することを特徴とする第１の手段記載の映像信号再生装置である。
【００１８】
本発明による第１１の手段は、映像信号が記録された記録媒体から映像信号を再生する再生ステップと、映像信号の再生時に映像信号から取り込む画像が指定されたとき、再生手段における映像信号の再生を静止する静止ステップと、映像信号の再生の静止時に画像の登録の承認が指示されたとき、取り込みが指定された画像を、画像を記録する記録媒体に記録する記録ステップと、指定された画像が記録されたとき、記憶媒体に記録された画像のインデックスデータを記録更新し、記録されているインデックスデータの更新が行われると、静止ステップの処理により静止していた映像信号の再生を再開する再生再開ステップを具備することを特徴とする映像信号再生方法である。
【００２０】
本発明による第１２の手段は、記録ステップは、映像信号の再生の静止時に画像の登録を中止する指示がなされたとき、映像信号の再生を再開することを特徴とする第１１の手段記載の映像信号再生方法である。
【００２１】
本発明による第１３の手段は、映像を撮像する撮像ステップと、撮像された映像を映像信号として、映像信号を記録する記録媒体に記録する映像記録ステップとを具備することを特徴とする第１１の手段記載の映像信号再生方法である。
【００２２】
本発明による第１４の手段は、映像を撮像する撮像手段と、撮像手段によって撮像された映像を映像信号として、映像信号を記録する記録媒体に記録すると共に、映像信号が記録された記録媒体から映像信号を再生する映像信号記録再生手段と、画像を記録する記録媒体に取り込みが指示された画像を記録する記録手段と、記録手段に記録されている画像のインデックスデータを記録するインデックスデータ記録手段と、映像信号記録再生手段によって再生された映像信号を表示する表示手段と、再生された映像信号から画像の取り込みを指示する入力手段と、映像信号記録再生手段での映像信号の再生時に入力手段によって映像信号から画像の取り込みが指示されたとき、再生手段における映像信号の再生を静止して、映像信号の画像を記録手段を介して記録し、指定された画像が記録されたとき、インデックスデータ記録手段に記録された画像のインデックスデータを記録更新し、インデックスデータ記録手段に記録されているインデックスデータの更新が行われると、映像信号の再生を再開する制御を行う制御手段とを具備することを特徴とする映像信号再生装置である。
【００２３】
本発明による第１５の手段は、映像が記録された記録媒体と画像を記録する記録媒体は、別の記録媒体であることを特徴とする第１４の手段記載の映像信号再生装置である。
【００２４】
本発明による第１６の手段は、映像信号が記録された記録媒体は、ビデオテープであり、画像を記録する記録媒体は、半導体メモリーであることを特徴とする第１５の手段記載の映像信号再生装置である。
【００２８】
【作用】
これによれば、映像信号が記録された記録媒体から映像信号を再生する再生手段と、再生された映像信号から取り込む画像を指定する入力手段と、画像を記録する記録媒体に取り込みが指定された画像を記録する記録手段と、記録手段に記録されている画像のインデックスデータを記録するインデックスデータ記録手段と、再生手段での映像信号の再生時に入力手段によって映像信号から取り込む画像が指定されたとき、再生手段における映像信号の再生を静止し、映像信号の再生の静止時に入力手段によって画像の登録を承認する指示がなされたとき、取り込みが指定された画像を記録手段を介して記録し、指定された画像が記録されたとき、インデックスデータ記録手段に記録された画像のインデックスデータを記録更新し、インデックスデータ記録手段に記録されているインデックスデータの更新が行われると、映像信号の再生を再開する制御を行う制御手段とを具備するようにしたので、一体の装置で画像を含む情報の作成と送受信を行うことができ、携帯性の良好な映像信号再生装置を形成すると共に、良好な映像信号再生方法を実現することができる。
【００２９】
また、入力手段としてパネル型表示装置の表示面上に一体にパネル型入力部が設けられているので、キーボード等を付属させる必要がなく、良好な携帯性を得ることができる。
【００３０】
さらに、記録部としてビデオテープレコーダー、ディスクレコーダー、またはメモリー装置を設けているので、予め別の装置でビデオテープ、ディスク、または半導体メモリー等に記録された映像信号を情報に取り込むことができ、情報の作成を一層円滑に、且つ高い表現力をもって行うことができる。
【００３１】
また、通信手段での伝送は無線及び／または有線で行われるようにしたので、移動中の送受信はもとより、公衆電話回線等も利用して情報の送受信を行うことができる。
【００３２】
【実施例】
図１は本発明による映像信号再生装置の外観を示す。この図１において、１は例えば縦型に構成されたＶＣＲ一体型カメラ装置（携帯型映像機器）を示し、図はその背面側を描いたもので、図示せずも正面側には撮像レンズ系やカセットの挿入機構等が設けられている。
【００３３】
また、２はパネル型表示装置であって、この表示装置２は例えば液晶表示パネルで構成されて、上述のＶＣＲ一体型カメラ装置１に対して傾き自在に取り付けられると共に、上述のＶＣＲ一体型カメラ装置１で撮像または再生された映像信号の画像が表示される。なお、３は通信用無線アンテナである。
【００３４】
さらにこのパネル型表示装置２の表示面上には、例えば透明電極を用いたいわゆるタッチパネル形式の入力手段４が一体に設けられる。そしてこの入力手段４を用いて、例えば電子メール（情報）を作成するための文字情報の入力や、映像信号からの必要な画像データの抜き出し等の指示が行われる。
【００３５】
すなわち図２は内部の構成を示す。この図２において、ＶＣＲ一体型カメラ装置１の撮像部１１で撮像された映像信号が映像信号処理部１２に供給される。そしてこの処理部１２で所定の記録信号に変換され、この記録信号がＶＣＲ等の映像信号の記録部１３に供給されてビデオテープ等に記録される。
【００３６】
また、撮像部１１で撮像された映像信号または記録部１３から再生された映像信号が、処理部１２で所定の表示信号に変換される。この表示信号が切り替えスイッチ１４を通じてパネル型表示装置２の表示部１５に供給されて、撮像または再生された映像信号の表示が行われる。
【００３７】
また、通信用無線アンテナ３のアンテナ部１６で受信された例えば電子メールの伝送信号が情報端末部１７に供給されて、所定の表示信号に変換される。この表示信号が切り替えスイッチ１４を通じてパネル型表示装置２の表示部１５に供給されて、受信された電子メールの表示が行われる。
【００３８】
さらに、アンテナ部１６で受信された例えば電子メールの伝送信号が情報端末部１７で所定の記録信号に変換される。そしてこの記録信号がＶＣＲ等の映像信号の記録部１３に供給されてビデオテープ等の記録メディアに記録される。
【００３９】
また、入力手段４のタブレット１８及びその他のキースイッチ１９からの入力信号が、切り替えスイッチ２０を通じて映像信号処理部１２及び情報端末部１７に供給されて、それぞれ所定の処理の制御が行われる。さらにタブレット１８及びキースイッチ１９からの入力信号が出入力制御部２１に供給されて、上述のスイッチ１４、２０の切り替えが制御される。
【００４０】
さらにこの装置において、上述の出入力制御部２１には、例えば図３のフローチャートに示すような処理の手順が設けられる。すなわち図３において、処理が開始されるとステップ〔１〕で現在の機能がＶＣＲ一体型カメラ装置としての機能であるか否かが判断される。
【００４１】
このステップ〔１〕でＶＣＲ一体型カメラ装置としての機能のとき（Ｙｅｓ）は、ステップ〔２〕でタブレット１８またはキースイッチ１９において情報端末への切り替えの要求が検知されたか否かが判断される。そして検知されたとき（Ｙｅｓ）は、ステップ〔３〕でスイッチ１４、２０を情報端末部１７側へ切り替えて処理が終了される。またステップ〔２〕で要求が検知されないとき（Ｎｏ）はそのまま処理が終了される。
【００４２】
さらにこのステップ〔１〕でＶＣＲ一体型カメラ装置としての機能でないとき（Ｎｏ）は、ステップ〔４〕でタブレット１８またはキースイッチ１９においてＶＣＲ一体型カメラ装置への切り替えの要求が検知されたか否かが判断される。そして検知されたとき（Ｙｅｓ）は、ステップ〔５〕でスイッチ１４、２０を映像信号処理部１２側へ切り替えて処理が終了される。またステップ〔４〕で要求が検知されないとき（Ｎｏ）はそのまま処理が終了される。
【００４３】
さらにこの装置において上述の情報端末部１７では、電子メールの送受信や、電子メールの作成、表示のためのインターフェイスの制御、電子メールに画像を取り込むための制御等が行われる。すなわち図４には、そのための情報端末部１７の構成が示される。
【００４４】
この図４において、この情報端末部１７には中央処理装置（ＣＰＵ）７１と、画像データを記憶するＶ−ＲＡＭ７２、入力データ等を記憶するＲＡＭ７３と、電子メールの送受信を行う送受信装置が設けられる。そして映像信号処理部１２または記録部１３からの映像信号の所望の画像がＶ−ＲＡＭ７２の画像データ領域に記憶される。さらにＣＰＵ７１との間で作成された電子メールの表示画像が端末画面データ領域に記憶され、この画面データが表示部１５に出力される。
【００４５】
また、タブレット１８またはキースイッチ１９から入力されたデータがＲＡＭ７３のメールデータ領域に記憶される。さらにＣＰＵ７１で作成されたＶ−ＲＡＭ７２の画像データ領域に記憶された画像のインデックスデータが、画像インデックスデータ領域に記憶される。なお画像インデックスデータには、例えば図５に示すように画像名と、画像データの始端アドレス及びデータサイズ等が記憶される。
【００４６】
さらに、ＣＰＵ７１で作成された電子メールのデータが送受信装置７４を通じてアンテナ部１６に供給されて送信が行われる。また、アンテナ部１６からの電子メールのデータが送受信装置７４を通じてＣＰＵ７１に供給されて受信が行われる。
【００４７】
そしてこの装置において、実際に電子メールを作成する場合には、例えば図６のフローチャートに示すようにして行われる。すなわち図６は画像の選択の手順を示したもので、例えばＶＣＲ等の記録部１３に記録された映像信号を再生している状態で実行される。
【００４８】
この図６において動作が開始されると、まずステップ〔１０〕で例えば後述するカット（Ｃｕｔ）ボタン（キースイッチ１９）が押されたか否かが判断され、押されていないとき（Ｎｏ）はこのステップ〔１０〕が繰り返される。そしてこのステップ〔１０〕でカットボタンが押されたとき（Ｙｅｓ）は、ステップ〔１１〕で記録部１３の再生が停止される。
【００４９】
さらに、映像信号処理部１２ではカットボタンが押されたときの映像信号の画像が記憶されて表示が継続されており、ステップ〔１２〕で映像信号処理部１２から現在表示している画像データを受け取り、Ｖ−ＲＡＭ７２の画像データ領域に格納する。またステップ〔１３〕で、表示部１５にソフトウェアキーボードと画像名の入力フィールドが表示される。
【００５０】
これによって、例えば後述するタッチペンを用いてタブレット１８からの文字情報の入力が行われる。そしてステップ〔１４〕で画像名の入力が終了したか否かが判断され、終了していないとき（Ｎｏ）はこのステップ〔１４〕が繰り返される。
【００５１】
さらにステップ〔１４〕で入力が終了されたとき（Ｙｅｓ）は、ステップ〔１５〕で画像登録の確認の文面が表示される。そしてこの確認の文面には、例えば登録を承認する「Ｙｅｓ」と、登録を承認しない「Ｎｏ」の表示が付加され、例えば後述するタッチペンを用いてタブレット１８の対応する部分が押されることによってＹｅｓ／Ｎｏの入力が行われる。
【００５２】
そしてステップ〔１６〕で押された表示（Ｙｅｓ／Ｎｏ）の判定が行われる。ここで「Ｎｏ」の表示が押されたとき（Ｎｏ）は、ステップ〔１７〕で記録部１３の再生が再開されてステップ〔１０〕に戻される。
【００５３】
これに対してステップ〔１６〕で「Ｙｅｓ」の表示が押されたとき（Ｙｅｓ）は、ステップ〔１８〕でＶ−ＲＡＭ７２の画像データ領域に格納された画像データが記録部１３に記録される。これによって画像データの登録が行われる。さらにステップ〔１９〕で、ＲＡＭ７３の画像インデックスデータ領域に記録部１３に記録された画像のインデックスデータが更新記録される。
【００５４】
なお記録部１３には、例えば上述のＶＣＲとは別に半導体メモリー等が設けられて、上述の画像データが登録されるようにしてもよい。あるいは上述のＶＣＲにおいて、例えばテープ上の登録画像のトラック番号等を画像インデックスデータとして記憶するようにしてもよい。そしてこのステップ〔１９〕でインデックスデータが更新が行われると、ステップ〔１７〕で記録部１３の再生が再開されてステップ〔１０〕に戻される。
【００５５】
すなわち図７において、Ａに示すように再生される映像信号中の所望の画像が表示されたときにカットボタン（Ｃｕｔ）が押されると、Ｂに示すようにこの画像が静止されて表示されると共に、この画像に重ねてソフトウェアキーボードと画像名入力フィールドが表示される。そして例えばタッチペンを用いて画像名の入力が行われる。
【００５６】
さらに、Ｃに示すように画像登録の確認の文面が表示される。そしてこの表示中の「Ｙｅｓ」「Ｎｏ」の表示に対応する部分のタブレット１８が、例えばタッチペンを用いて押されることによってＹｅｓ／Ｎｏの入力が行われ、画像データ及びその画像名の登録が行われる。
【００５７】
このようにして再生される映像信号中の所望の画像データ及びその画像名の登録が行われる。さらに電子メールの文字情報の入力も例えば上述のソフトウェアキーボード等によって行われるが、この処理は周知の技術を用いて行うことができるので詳細な説明は省略し、以下には作成された文字情報に画像データを取り込む場合について説明する。
【００５８】
すなわち図８は文字情報に画像データを取り込む場合の手順を説明するフローチャート、図９及び図１０はそれぞれ表示画面の例を示す。ここで手順の開始時には、まず表示部１５にメール本体の文字情報が表示され、図８のステップ〔２０〕で、例えば表示中の「画像」の表示に対応する部分のタブレット１８がタッチペンを用いて押されたか否かが判断される。
【００５９】
このステップ〔２０〕で押されていないとき（Ｎｏ）はこのステップ〔２０〕が繰り返される。さらにこのステップ〔２０〕で「画像」ボタンが押されたとき（Ｙｅｓ）は、ステップ〔２１〕で図９のＡに示すようなプルダウンメニューが開かれる。ここでこのプルダウンメニューには、例えば図示のように登録された画像データの画像名が一覧に表示される。
【００６０】
そしてステップ〔２２〕で、例えばプルダウンメニューの中でタッチペンがペンアップされたか否かが判断される。ここでペンアップされていないとき（Ｎｏ）はステップ〔２２〕が繰り返される。さらにステップ〔２２〕でペンアップされたとき（Ｙｅｓ）は、例えば図９のＢに示すようにステップ〔２３〕でペンアップされた位置のプルダウンメニューの画像名が取り込まれる。
【００６１】
さらにステップ〔２４〕で、取り込まれた画像名に該当する画像データのアドレスが画像インデックスから検索され、記録部１３から該当する画像データがＶ−ＲＡＭ７２の画像データ領域にコピーされる。
【００６２】
また、ステップ〔２５〕で、タッチペンが再びペンダウンされたか否かが判断される。ここでペンダウンされていないとき（Ｎｏ）はステップ〔２５〕が繰り返される。またステップ〔２５〕でペンダウンされたとき（Ｙｅｓ）は、ステップ〔２６〕で例えば図１０のＣに示すような矩形領域が、タッチペンの動きに応じたエコーバックにより表示される。
【００６３】
さらにステップ〔２７〕で、タッチペンが再びペンアップされたか否かが判断される。ここでペンアップされていないとき（Ｎｏ）はステップ〔２６〕〔２７〕が繰り返される。
【００６４】
またステップ〔２７〕でペンアップされたとき（Ｙｅｓ）は、ステップ〔２８〕でＶ−ＲＡＭ７２の画像データをペンダウン、ペンアップ点を結ぶ線を対角線とする矩形領域に納まるように圧縮し、表示部１５には例えば図１０のＤに示すような表示が行われる。そしてこの圧縮された画像データがＲＡＭ７３のメールデータ領域に格納され、これによって電子メールが作成される。
【００６５】
このようにして文字情報に加えて画像情報が文面内に取り込まれた電子メールが作成される。そしてこの作成された電子メールが、ＣＰＵ７１から送受信装置７４を通じてアンテナ部１６に供給されて送信が行われる。なおこの送信の処理は周知の技術を用いて行うことができるので詳細な説明は省略する。
【００６６】
こうして上述の装置によれば、映像信号が記録された記録媒体から映像信号を再生する再生手段と、再生された映像信号から取り込む画像を指定する入力手段と、画像を記録する記録媒体に取り込みが指定された画像を記録する記録手段と、記録手段に記録されている画像のインデックスデータを記録するインデックスデータ記録手段と、再生手段での映像信号の再生時に入力手段によって映像信号から取り込む画像が指定されたとき、再生手段における映像信号の再生を静止し、映像信号の再生の静止時に入力手段によって画像の登録を承認する指示がなされたとき、取り込みが指定された画像を記録手段を介して記録し、指定された画像が記録されたとき、インデックスデータ記録手段に記録された画像のインデックスデータを記録更新し、インデックスデータ記録手段に記録されているインデックスデータの更新が行われると、映像信号の再生を再開する制御を行う制御手段とを具備するようにしたので、一体の装置で画像を含む情報の作成と送受信を行うことができ、携帯性の良好な映像信号再生装置を形成すると共に、良好な映像信号再生方法を実現ことができるものである。
【００６７】
また、入力手段としてパネル型表示装置の表示面（表示部１５）上に一体にパネル型入力部（タブレット１８）が設けられているので、キーボード等を付属させる必要がなく、良好な携帯性を得ることができるものである。
【００６８】
従ってこの装置において、例えば図１１に示すように、事故現場で本発明による映像信号再生装置及び映像信号再生方法を用いて事故の画像とその状況の説明文を含む電子メールを作成し、この電子メールを基地局を通じて病院や救急車内の情報端末装置に送信しておくことによって、病院での受け入れ態勢や、救急車での救急医療の態勢を予め整えておくことができ、救急医療を円滑に行うことができる。
【００６９】
またこの他にも種々の状況で、本発明による映像信号再生装置及び映像信号再生方法を用いて画像とその説明文を含む電子メールを作成してこの電子メールを送信することができ、受信側に状況の把握等を良好に行わせることができる。
【００７０】
さらにこの装置において、記録部１３には例えばＶＣＲが設けられる。そこで他のＶＣＲ一体型のカメラ装置等で撮像されたビデオテープを、上述の本発明の装置に供給することによって、他のカメラ装置等で撮像された画像を本発明の装置で処理することができ、より多くのカメラ装置等で撮像された画像を電子メールに取り込むことができる。
【００７１】
従って上述の装置によれば、記録部１３としてビデオテープレコーダー、ディスクレコーダー、またはメモリー装置を設けているので、予め別の装置でビデオテープ、ディスク、または半導体メモリー等に記録された映像信号を情報に取り込むことができ、情報の作成を一層円滑に、且つ高い表現力をもって行うことができるものである。
【００７２】
またこの装置において、情報端末部１７の送受信装置７４は、上述のようにアンテナ部１６を通じて無線で送受信を行うだけでなく、例えば通信ジャック（図示せず）を設けて通信回線コードを介して電話回線にも接続できるようにしてもよい。
【００７３】
従って上述の装置によれば、通信手段（情報端末部１７）での伝送は無線及び／または有線で行われるようにしたので、移動中の送受信はもとより、公衆電話回線等も利用して情報の送受信を行うことができるものである。
【００７４】
なおこの装置において、ＶＣＲ一体型カメラ装置（携帯型映像機器）は上述の形式に限らず、横幅を広くして両手で支える形式の装置でもよい。あるいは動画を撮像記録する装置に限らず、いわゆる電子スチールカメラ装置においても、パネル型の表示装置を設けることによって本発明を実施することができる。
【００７５】
さらにＶＣＲはアナログ記録あるいはデジタル記録のいずれであってもよい。なお特にデジタル記録を採用した場合には、登録画像の記録や、受信された電子メールの記録も円滑に行うことができる。
【００７６】
また、上述のカット（Ｃｕｔ）ボタンや「画像」ボタンは、上述の例ではキースイッチ１９及び表示部１５とタブレット１８のソフトウェアによる入力手段を組み合わせたが、これらは全てソフトウェアによる入力手段あるいはキースイッチによって実施することも可能である。
【００７７】
【発明の効果】
この発明によれば、映像信号が記録された記録媒体から映像信号を再生する再生手段と、再生された映像信号から取り込む画像を指定する入力手段と、画像を記録する記録媒体に取り込みが指定された画像を記録する記録手段と、記録手段に記録されている画像のインデックスデータを記録するインデックスデータ記録手段と、再生手段での映像信号の再生時に入力手段によって映像信号から取り込む画像が指定されたとき、再生手段における映像信号の再生を静止し、映像信号の再生の静止時に入力手段によって画像の登録を承認する指示がなされたとき、取り込みが指定された画像を記録手段を介して記録し、指定された画像が記録されたとき、インデックスデータ記録手段に記録された画像のインデックスデータを記録更新し、インデックスデータ記録手段に記録されているインデックスデータの更新が行われると、映像信号の再生を再開する制御を行う制御手段とを具備するようにしたので、一体の装置で画像を含む情報の作成と送受信を行うことができ、携帯性の良好な映像信号再生装置を形成すると共に、良好な映像信号再生方法を実現することができるようになった。
【００７８】
また、入力手段としてパネル型表示装置の表示面上に一体にパネル型入力部が設けられているので、キーボード等を付属させる必要がなく、良好な携帯性を得ることができるようになった。
【００７９】
さらに、記録部としてビデオテープレコーダー、ディスクレコーダー、またはメモリー装置を設けているので、予め別の装置でビデオテープ、ディスク、または半導体メモリー等に記録された映像信号を情報に取り込むことができ、情報の作成を一層円滑に、且つ高い表現力をもって行うことができるようになった。
【００８０】
また、通信手段は無線及び／または有線で行われるようにしたので、移動中の送受信はもとより、公衆電話回線等も利用して情報の送受信を行うことができるようになった。
【図面の簡単な説明】
【図１】本発明による映像信号再生装置の一例の全体の構成を示す外観図である。
【図２】その内部構成を示すブロック図である。
【図３】出入力制御の説明のためのフローチャート図である。
【図４】情報端末部の構成を示すブロック図である。
【図５】その説明のための図である。
【図６】動作の手順を示すフローチャート図である。
【図７】その説明のための図である。
【図８】動作の手順を示すフローチャート図である。
【図９】その説明のための図である。
【図１０】その説明のための図である。
【図１１】実際の運用の例を示す説明図である。
【符号の説明】
１…ＶＣＲ一体型カメラ装置（携帯型映像機器）、２…パネル型表示装置、３…通信用無線アンテナ、４…タッチパネル形式の入力手段、１１…撮像部、１２…映像信号処理部、１３…記録部、１４，２０…切り替えスイッチ、１５…表示部、１６…アンテナ部、１７…情報端末部、１８…タブレット、１９…キースイッチ、２１…出入力制御部、７１…中央処理装置（ＣＰＵ）、７２…画像データを記憶するＶ−ＲＡＭ、７３…入力データ等を記憶するＲＡＭ、７４…送受信装置
【図１】
0003601515.tif 000002
【図２】
0003601515.tif 000003
【図３】
0003601515.tif 000004
【図４】
0003601515.tif 000005
【図５】
0003601515.tif 000006
【図６】
0003601515.tif 000007
【図７】
0003601515.tif 000008
【図８】
0003601515.tif 000009
【図９】
0003601515.tif 000010
【図１０】
0003601515.tif 000011
【図１１】
0003601515.tif 000012